(57)【要約】【課題】  参加者同士のコミュニケーションを促進し、パーティーを確実に盛り上げることができるパーティー用玩具を提供することを目的とする。【解決手段】  本発明に係るパーティー用道具は、手錠を模した形状を有し、第１の参加者の手に装着される手錠ユニット１１と、第２の参加者が所持し、当該手錠ユニットによる拘束を解除するための鍵ユニット１２とを備えたものである。そして、手錠ユニット１１は、複数の第１の参加者それぞれの手に装着され、複数の第２の参加者はそれぞれ、手錠ユニット１１による拘束を解除するための複数の鍵ユニット１２を所持し、複数の手錠ユニット１１は、複数の第１の参加者と複数の第２の参加者が順次行う解錠作業によって、当該手錠ユニット１１を解錠可能な鍵ユニット１２に対応付けられる。【選択図】  図１
2006055261.tif 000002
【特許請求の範囲】
【請求項１】
手錠を模した形状を有し、第１の参加者の手に装着される手錠ユニットと、
第２の参加者が所持し、当該手錠ユニットによる拘束を解除するための鍵ユニットとを備えたパーティー用玩具。
【請求項２】
手錠を模した形状を有し、複数の第１の参加者それぞれの手に装着される複数の手錠ユニットと、
複数の第２の参加者がそれぞれ所持し、前記手錠ユニットによる拘束を解除するための複数の鍵ユニットとを備え、
前記複数の手錠ユニットは、前記複数の第１の参加者と前記複数の第２の参加者とが順次行う解錠作業によって、当該手錠ユニットを解錠可能な鍵ユニットに対応付けられるパーティー用玩具。
【請求項３】
前記鍵ユニットは、マトリクス型二次元コードを有し、
前記手錠ユニットは、当該マトリクス型二次元コードに関連付けられた所定情報を有し、
当該パーティー用玩具は、前記マトリクス型二次元コードを読取るための読取装置を、さらに備え、
当該読取装置によって読取られたマトリクス型二次元コードと前記所定情報との一致は、前記手錠ユニットによる拘束が解除されたことを示すことを特徴とする請求項１記載のパーティー用玩具。
【請求項４】
前記鍵ユニットは、第１の絵柄を有し、
前記手錠ユニットは、当該第１の絵柄に関連付けられた第２の絵柄を有し、
特定の組合せに係る前記第２の絵柄が前記第１の絵柄と重ね合わせられた場合には、前記手錠ユニットによる拘束が解除されたことを示す所定の絵柄が表示されることを特徴とする請求項１記載のパーティー用玩具。
【請求項５】
前記第１の絵柄は、前記所定の絵柄を所定の分割単位で分割した絵柄であり、
前記第２の絵柄は、前記所定の絵柄から前記第１の絵柄を除いた絵柄であることを特徴とする請求項４記載のパーティー用玩具。
【請求項６】
前記鍵ユニットは、格納情報を読取り可能に記憶した無線ＩＣタグを有し、
前記手錠ユニットは、当該無線ＩＣタグから前記格納情報を読取るリーダライタ装置を有することを特徴とする請求項１記載のパーティー用玩具。
【請求項７】
前記手錠ユニットは、前記リーダライタ装置が読取った前記格納情報と当該手錠ユニットを識別するための識別情報とが一致するか否かを示す判定結果を表示する表示装置を、さらに有することを特徴とする請求項６記載のパーティー用玩具。
【発明の詳細な説明】
【技術分野】
【０００１】
本発明は、パーティー用玩具に関する。
【背景技術】
【０００２】
一般に、披露宴の二次会、クリスマスパーティー等のパーティーにおいては、参加者が初対面であることが多い。そのため、パーティーの場を盛り上げるためにゲーム等の催し物が行われている。この催し物を行うために、風船やマスク等の各種玩具が利用されてきた。この玩具の一例として、クリスマスパーティーや誕生パーティー等で使用されるクラッカーが特許文献１に開示されている。
【特許文献１】特開２００２−３５００９９号公報
【発明の開示】
【発明が解決しようとする課題】
【０００３】
このように、従来のパーティーで用いられる玩具では、参加者同士が互いに自発的にコミュニケーションを交わさなければならない。そのため、コミュニケーションを交わすことができない参加者が生じ、パーティーを確実に盛り上げることが困難であるという問題点があった。
本発明は、このような問題点を解決するためになされたもので、参加者同士のコミュニケーションを促進し、パーティーを確実に盛り上げることができるパーティー用玩具を提供することを目的とする。
【課題を解決するための手段】
【０００４】
本発明に係るパーティー用玩具は、手錠を模した形状を有し、第１の参加者の手に装着される手錠ユニットと、第２の参加者が所持し、当該手錠ユニットによる拘束を解除するための鍵ユニットとを備えたものである。
また、本発明に係るパーティー用玩具は、手錠を模した形状を有し、複数の第１の参加者それぞれの手に装着される複数の手錠ユニットと、複数の第２の参加者がそれぞれ所持し、前記手錠ユニットによる拘束を解除するための複数の鍵ユニットとを備え、前記複数の手錠ユニットは、前記複数の第１の参加者と前記複数の第２の参加者とが順次行う解錠作業によって、当該手錠ユニットを解錠可能な鍵ユニットに対応付けられるものである。
このような構成において、鍵を持つ参加者と手錠を持つ参加者とが解錠作業を共同で行うことができるため、参加者同士のコミュニケーションを促進することができる。これによって、パーティーを確実に盛り上げることができる。
【０００５】
さらに、前記鍵ユニットは、マトリクス型二次元コードを有し、前記手錠ユニットは、当該マトリクス型二次元コードに関連付けられた所定情報を有し、当該パーティー用玩具は、前記マトリクス型二次元コードを読取るための読取装置を備え、当該読取装置によって読取られたマトリクス型二次元コードと前記所定情報との一致は、前記手錠ユニットによる拘束が解除されたことを示すものである。このような構成により、参加者は簡便に解錠作業を行うことができるので、パーティーをより確実に盛り上げることができる。
【０００６】
さらにまた、本発明に係るパーティー用玩具は、前記鍵ユニットは、第１の絵柄を有し、前記手錠ユニットは、当該第１の絵柄に関連付けられた第２の絵柄を有し、特定の組合せに係る前記第２の絵柄が前記第１の絵柄と重ね合わせられた場合には、前記手錠ユニットによる拘束が解除されたことを示す所定の絵柄が表示されるものである。このような構成により、参加者は迅速に解錠作業を行うことができるので、パーティーをより確実に盛り上げることができる。
【０００７】
好適には、前記第１の絵柄は、前記所定の絵柄を所定の分割単位で分割した絵柄であり、前記第２の絵柄は、前記所定の絵柄から前記第１の絵柄を除いた絵柄である。
【０００８】
また、本発明に係るパーティー用玩具は、前記鍵ユニットは、格納情報を読取り可能に記憶した無線ＩＣタグを有し、前記手錠ユニットは、当該無線ＩＣタグから前記格納情報を読取るリーダライタ装置を有する。このような構成により、参加者は簡便に解錠作業を行うことができるので、パーティーをより確実に盛り上げることができる。
【０００９】
さらに、前記手錠ユニットは、前記リーダライタ装置が読取った前記格納情報と当該手錠ユニットを識別するための識別情報とが一致するか否かを示す判定結果を表示する表示装置を有するものである。
【発明の効果】
【００１０】
本発明によれば、参加者同士のコミュニケーションを促進し、パーティーを確実に盛り上げることができるパーティー用玩具を提供することができる。
【発明を実施するための最良の形態】
【００１１】
以下、本発明を実施するための最良の形態について図を参照しながら説明する。
発明の実施の形態１．
まず、図１を用いて、本発明に係るパーディー用玩具の全体構成について説明する。図１は、本発明に係るパーティー用玩具の一例を示す外観模式図である。
図１に示すように、本発明に係るパーティー用玩具１は、手錠ユニット（以下、これを単に手錠と略す）１１、鍵ユニット（以下、これを単に鍵と略す）１２を備えている。なお、図１は、鍵１２が手錠１１の上方に配置された図であり、手錠１１側を下方、鍵１２側を上方とを呼ぶ。
手錠１１は、一般的な手錠を模した形状を有し、パーティーの参加者の手首に嵌められるグッズである。鍵１２は、この手錠１１を解錠するためのグッズである。このようなパーティー用玩具１は、手錠１１によって施錠された参加者と、鍵１２を持った参加者とに別れて行われるパーティー・ゲームに使用される。
【００１２】
続いて、図１を用いて、本発明に係るパーティー用玩具１の手錠１１の外観構成について説明する。図１に示すように、手錠１１は、左手拘束部１１１、右手拘束部１１２、連結部１１３を有する。
【００１３】
左手拘束部１１１は、パーティーの参加者の左手首に嵌められ、左手を拘束する部分である。この左手拘束部１１１は、略筒状形状の筒状部材２１１を有する。
筒状部材２１１は、参加者の左手を拘束するために囲繞する部材である。この筒状部材２１２は、娯楽であるゲームにおいて参加者の手首を強固に拘束しないように、可撓性を有する材料を用いて形成されるのが好ましい。例えば、筒状部材２１２は、参加者が緊急時に自分で外すことができるように、マジックテープ（登録商標）等を用いて外しやすいように構成されている。
【００１４】
右手拘束部１１２は、パーティーの参加者の右手首に嵌められ、右手を拘束する部分である。この右手拘束部１１２は、略筒状形状の筒状部材２２１を有する。筒状部材２２１は、左手拘束部１１１と同様の部材である。この右手拘束部１１２は、この筒状部材２２１に加え、略平板状形状の平板部材２２２を有する。
平板部材２２２は、プラスチック等の合成樹脂を用いて構成された平板とすることができる。この平板部材２２２は、取付孔２２３、係止孔２２４、切欠き溝２２５を有する。取付孔２２３は、細長い形状を有し、この取付孔２２３に筒状部材２２１が通されて装着されている。係止孔２２４は、平面視略矩形状の貫通孔であり、施錠するための孔である。切欠き溝２２５は、平板部材２２２を連結部材１１３に連結するための位置決め溝である。これら係止孔２２４、切欠き溝２２５については、後に詳述する。
【００１５】
連結部１１３は、左手拘束部１１１を取付けるとともに、右手拘束部１１２を着脱可能に連結する部材である。具体的には、連結部１１３は、取付孔２３１、嵌合孔２３２を側面に有する。取付孔２３１は、細長い形状を有し、この取付孔２３１に左手拘束部１１１の筒状部材２１１が通されて装着される。嵌合孔２３２には、右手拘束部１１２が嵌め込まれ着脱可能に連結される。
【００１６】
連結部１１３は、手錠１１の錠となる施錠装置２３３を内部に有し、この施錠装置２３３において右手拘束部１１２に解錠可能に連結されている。また、連結部１１３上面には、上面視略円形状の開口窓２３４が形成されている。施錠装置２３３の一部は、この開口窓２３４から露出している。具体的には、施錠装置２３３の鍵穴２３５，２３６が露出している。このような錠機構２３３は、開口窓２３４に鍵１２を差し込んで回転させて施錠・解錠が行われる所謂ダイヤル式の錠機構である。施錠装置２３３の内部構成は、種々の形態とすることができが、その一例について後に詳述する。
【００１７】
さらに続いて、図１を用いて、本発明に係るパーティー用玩具１の鍵１２の概略構成について説明する。図１に示すように、鍵１２は、本体部１２１、突起１２２，１２３、摘み部１２４を備えている。
本体部１２１は、略円盤状の形状を有する部材であり、例えばプラスチック等の合成樹脂を用いて構成されている。突起１２２，１２３は、本体部１２１の下面に突設されている。この突起１２２，１２３は、鍵穴２３７，２３８に嵌合可能となるような形状を有する。摘み部１２４は、突起１２２，１２３が設けられた側面に対向する本体部１２１の上面に設けられている。この摘み部１２４は、参加者が鍵１２を回すために摘む部分であり、一例として略平板状の形状とすることできる。この場合、摘み部分１２４は、本体部１２１上に直立状態で固定されている。
【００１８】
次に、図２を用いて、本発明に係るパーティー用玩具１の内部構成ついて詳細に説明する。図２は、このパーティー用玩具１の内部構成を示す分解斜視図である。具体的には、図２に、パーティー用玩具１における施錠装置２３３を有する手錠１１の連結部１１３、施錠装置２３３の鍵１２の本体部１２１が示され、他の部材については省略している。
【００１９】
図２に示すように、手錠１１の連結部１１３は、ベース板３１、フック板３２，３３、留板３５、取付ネジ３６１，３６２、バネ部材３７１，３７２、カバー３８、錠板３９を有する。
ベース板３１は、手錠１１の各部材が配設されるための基材であり、略円盤状の形状を有する。このベース板３１上には、フック取付台３１１，３１２、ガイド３１３，３１４が設けられている。
フック取付台３１１，３１２は、長寸の形状を有する部材であり、互いに略平行となるようにベース板３１上に固着されている。これらフック取付台３１１，３１２は、互いに離間した状態で固着されている。また、フック取付台３１１は、フック取付台３１２よりも外周側に配設され、その両端にネジ孔３１６，３１７が形成されている。
【００２０】
側方ガイド３１３，３１４もまた、長寸の形状を有し、互いに略平行となるようにベース板３１上に固着されている。これら側方ガイド３１３，３１４は、フック取付台３１１，３１２の長手方向に対して略垂直に配設されている。また、長寸形状を有する側方ガイド３１３，３１４の間の幅は、平板部材２１２の短手方向の幅と略同一とすることができ、詳細には、この短手方向の幅よりも若干広い幅である。
上方ガイド３１５は、側方ガイド３１３，３１４上に架設されている。この上方ガイド３１５には、この架設状態で下方（裏面側）に、位置決め突起３１８が設けられている。すなわち、位置決め突起３１８は、側方ガイド３１３，３１４の間に配置されている。この位置決め突起３１８は、右手拘束部１１２の平板部材２２２を位置決めするための突出部材である。また、位置決め突起３１８は、側方ガイド３１３，３１４が延在する方向と略同一方向に延在している。
【００２１】
フック板３２，３３は、平面視略Ｌ字状の形状を有する平板状の部材である。フック板３２，３３は、軸部材３２１，３３１を有する。これら軸部材３２１，３３１は、その軸方向がフック板の３２，３３の外縁（短辺）に沿うように、略Ｌ字状のフック板３２，３３の一端に固着されている。それらの他端の外縁には、傾斜片３２２，３３２が固着されている。これら傾斜片３２２，３３２の傾斜面は、軸部材３２１，３３１の軸方向と略垂直な方向に配置されている。また、フック板３２，３３の略中央には、係止突起３２３，３３３が形成されている。これら係止突起３２３，３３３は、フック板３２，３３の下方に設けられている。
フック板３２，３３は、その軸部材３２１，３３１がフック取付台３１１，３１２の間に嵌め込まれた状態でベース板３１上に載置されている。すなわち、フック板３２，３３は、ベース板３１上で、ベース板３１から離れたり近づいたりするように回動可能に取付けられている。フック板３２，３３の傾斜片３２２，３３２は、この状態で、ベース板３１の略中心に関して略点対称に配置されている。また、係止突起３２３，３３３は、この状態で、ベース板３１に対峙している。
【００２２】
留板３５は、フック板３２，３３をベース板３１上に留めるための板部材である。また、留板３５の二隅には、ネジ孔３５１，３５２が形成されている。これらネジ孔３５１，３５２の間には、切欠き部分３５３が形成されている。また、取付ネジ３６１，３６２は、留板３５をベース板３１に取付けるためのネジである。
留板３５は、フック板３２，３３を上方からベース板３１に押し付けた状態で取付けられる。取付ネジ３６１，３６２は、この状態でネジ孔３５１，３５２に螺着され、これによって留板３５がベース板３１に固定されている。このとき、留板３５の切欠き部分３５３の両側は、フック板３２，３３の軸部材３２１，３３１を上方から固定し、この切欠き部分３５３にフック板３２，３３が嵌め込まれている。従って、フック板３２，３３は、この切欠き部分３５３において回動可能となるように固定されている。
【００２３】
バネ部材３７１，３７２は、略平板状の金属片とすることができ、板バネとして機能する。バネ部材３７１，３７２は、フック板３２，３３上に載置されている。
カバー３８は、上記の各部材を覆うカバーであり、連結部１１３の筐体となる部材である。カバー３８は、ベース板３１上に覆設され、上記の各部材を覆う。このとき、フック板３２，３３上のバネ部材３７１，３７２は、フック板３２，３３とカバー３８の内側面との間に挟み込まれている。これによって、バネ部材３７１，３７２は、フック板３２，３３の復動を付勢している。
カバー３８は、略中央に平面視略円形状の開口窓２３４が形成され、この開口窓２３４の外周に沿って載置棚３８１が形成されている。開口窓２３４の内壁には、取付突起３８２が突設されている。また、カバー３８は、中心方向に折れ曲がった平面視略Ｌ字状の嵌合孔３８３，３８４を有する。
【００２４】
錠板３９は、略円盤状の形状を有する部材である。この錠板３９は、軸孔３９１、鍵穴２３５，２３６を有する。軸孔３９１は錠板３９の略中央に形成され、鍵穴２３５，２３６は、この軸孔３９１の周辺に形成されている。鍵穴２３５，２３６は、軸孔３９１を中心として平面視略円弧状の形状を有する。錠板３９の外周に沿って、波状部３９２が形成されている。この波状部３９２は、例えば、略７°ごとに５０個形成されている。
錠板３９は、カバー３８の開口窓２３４の載置棚３８１上に固定されている。詳細には、錠板３９の波状部３９２は、その窪み部分に取付突起３８２が嵌め込まれている。これによって、錠板３９は回転しないように固定される。
【００２５】
図２に示すように、鍵１２の本体部１２１は、ベース板４１、鍵板４２を有する。
ベース板４１は、略円盤状の形状を有し、その底部に突起１２２，１２３が突設されている。これら突起１２２，１２３の大きさは、嵌合孔３８２，３８３に嵌合可能な形状・大きさを有する。詳細には、突起１２２，１２３の先端は、略Ｌ字状に略中心方向に折り曲げられている。また、このベース板４１の上面には、前述のように、摘み板１２４が固着される。
鍵板４２は、略円盤状の形状を有し、その底部に軸部材４２１、嵌合突起４２２，４２３が設けられている。この嵌合突起４２２，４２３は、錠板３９に形成された鍵穴２３７，２３８に嵌る大きさ・形状を有する。
【００２６】
さらに続いて、図２に示された施錠装置２３３の施錠・解錠について説明する。
施錠装置２３３が施錠するとき、右手拘束部１１２の平板部材２２２が側方ガイド３１３，３１４、上方ガイド３１５の間に嵌め込まれる。このとき、上方ガイド３１５の位置決め突起３１８は、平板部材２２２の切欠き溝２２５に嵌合し、平板部材２２２は、この状態で嵌め込まれる。嵌め込まれた平板部材２２２は、フック取付台３１１によって停止する。このとき、フック板３２，３３の係止突起３２３，３３３は、平板部材２２２の係止孔２２４に嵌り、平板部材２２２が外れないように係止している。
【００２７】
施錠装置２３３を解錠するとき、鍵１２の鍵板４２が錠板３９上に載置される。このとき、鍵板４２の軸部材４２１は軸孔３９１に、嵌合突起４２２，４２３は鍵穴２３５，２３６に嵌め込まれる。さらに、鍵１２の突起１２２，１２３は、カバー３８の嵌合孔３８２，３８３に嵌め込まれる。具体的には、突起１２２，１２３の中心側に折れ曲がった部分が、カバー３８の嵌合孔３８３，３８４の中心側に折れ曲がった部分に嵌め込まれる。これら突起１２２，１２３の先端は、この嵌合状態でフック板３２，３３の傾斜片３２２，３３２の近くに配置される。
【００２８】
鍵板４２が摘み板１２４を介して回転する。詳細には、カバー３８の嵌合孔３８３，３８４に沿って回転する。すると、突起１２２，１２３の先端は、軸部材４２１を軸としてスライドしながら回転し、傾斜片３２２，３３２の下方に滑り込む。傾斜片３２２，３３２は突起１２２，１２３によって上方に押し上げられるので、フック板３２，３３を介して傾斜片３２２，３３２に連結された係止突起３２３，３３３が持ち上げられる。これによって、係止突起３２３，３３３は、係止孔２２４から外れ、平板部材２２２が可動となる。すなわち、右手拘束部１１２は、連結部１１３から取外可能となり、施錠装置２３３が解錠状態となる。
【００２９】
このように、鍵１２の突起１２２，１２３先端がフック板３２，３３を押し上げることによって、施錠装置２３３が解錠する。例えば、突起１２２，１２３が回転したとしてもフック板３２，３３の傾斜片３２２，３３２に当接することができなかったり、突起１２２，１２３が差し込んだときに突起１２２，１２３先端がフック板３２，３３上に配置されたりしたとする。このような場合には、施錠装置２３３を解錠することができない。それゆえ、錠板３９の回転によって解錠可能となる波状部３９２にカバー３８の取付突起３８２が嵌め込まれていない場合には、解錠が不可能となる。従って、連結部１１３の錠板３９を回転させ、それに応じて鍵１２の鍵板４２を回転させることによって、開錠可能な位置を変更することができる。
【００３０】
このようなパーティー用玩具１を使用したゲームの一例として、男性・女性に別れて行われるパーティー・ゲームがある。このパーティー・ゲームは、具体的には、次のように用いられる。
パーティーの受付等において、パーティーに参加した男性の両手が手錠１１によって両手を拘束される。擬似的に逮捕された男性は、この拘束状態でパーティーに参加する。男性に対して、パーティーに参加した女性は、受付等で鍵１２を受け取り、パーティーに参加する。この女性が受け取る鍵１２は、男性の両腕を拘束する手錠１１を外すための鍵であるが、これら手錠１１、鍵１２は、一対一に対応している。すなわち、一人の男性を解錠する鍵１２は、そのパーティーにたった１つしかない。
男性は、自分の手錠１１を解錠することができる鍵１２を持っている女性を探して、手当たり次第に女性に声をかけ、鍵１２を自分の手錠１１に合わせてもらう。これによって、見知らぬ参加者ともコミュニケーションを図ることができる。また、男性は、運良く鍵１２を持つ相手の女性が見つかり、解錠することができれば、拘束状態から開放された無罪の身となる。
【００３１】
以上のように、本発明に係るパーティー用玩具１は、手錠１１によって施錠された参加者と鍵１２を持った他の参加者とが共同して解錠作業を行うことによって、コミュニケーションの機会を両者に提供することができる。さらに、これら両者は、この解錠作業に関する話題を互いに共有することができるので、コミュニケーションを確実に交わすことができる。特に、本発明に係るパーティー用玩具１においては、手錠１１が参加者の手首に嵌め込まれている。そのため、この手錠１１を鍵１２によって解錠するとき、参加者同士の物理的な距離が縮まるので、互いにコミュニケーションをより交わしやすくなる。
【００３２】
また、複数のパーティー用玩具１を用いてパーティー・ゲームを行う場合、手錠１１と鍵１２とが一対一に対応するように設定することができる。この場合には、手錠１１が施錠された参加者は、自分の手錠１１に対応した唯一の鍵１２を探すため、より多くの参加者とコミュニケーションを交わすことができる。従って、本発明に係るパーティー用玩具１を用いることによって、パーティーを確実に盛り上げることが可能となる。
【００３３】
さらに、本発明に係るパーティー用玩具１の手錠１１に用いられる施錠装置２３３においては、錠板３９、鍵板４２を容易に変更することができる。これによって、開錠可能な手錠１１と鍵１２を容易に構成することができる。さらにまた、錠板３９、鍵板４２は、カバー３８、ベース板４１に嵌め込むだけの単純な構造であるから、異なる複数の施錠装置２３３を容易に構成することができる。このような施錠装置２３３は、玩具等の簡易な施錠装置を構成するのに適している。また、複数の施錠装置２３３を構成するに際して、同じ型を用いて上記の各部材を製造することができる。それ故、施錠装置２３３、さらにはパーティー用玩具１を安価に製造することが可能となる。
【００３４】
発明の実施の形態２．
発明の実施の形態２においては、マトリクス型二次元コードを用いた場合について説明する。
図３の外観斜視図に、本実施形態におけるパーティー用玩具の一例が示されている。図３に示すように、本実施形態におけるパーティー用玩具は、手錠５１、鍵５２を備えている。
手錠５１は、上記の拘束部１１２，１１３と連結部５１１とを有する。連結部５１１は、連結部１１３と異なり、拘束部１１２，１１３を物理的に連結する部材である。この連結部５１１の上面には、所定の絵柄５１２が印刷されている。また、連結部５１１は、拘束部１１２，１１３から離れないように固着してもよいし、着脱可能に連結してもよい。
鍵５２は、略平板状の部材である。この鍵５２の上面には、マトリクス型二次元コード５２０が印刷されている。以下では、マトリクス型二次元コード５２０を二次元コード５２０と略す。
カメラ付携帯電話機５３は、二次元コード５２０を読取るための読取装置の一例である。このカメラ付携帯電話機５３は、読取った二次元コード５２０を、この二次元コード５２０が示す所定の画像情報に変換するための装置として機能する。
【００３５】
このようなパーティー用玩具は、次のように使用される。
手錠５１によって拘束された参加者は、カメラ付携帯電話機５３のカメラを用いて、鍵５２の二次元コード５２０を読取る。この参加者は、読取った二次元コード５２０を所定のサイトに送信し、この鍵５２の二次元コードが示す画像情報を受信する。カメラ付携帯電話機５３は、その液晶表示装置等の表示部５３１によって画像情報を表示する。手錠５１によって拘束された参加者、鍵５２を持った参加者の両者は、カメラ付携帯電話機５３に表示された絵柄５３２とを比較する。比較された絵柄５１２，５３２とが一致する場合には、参加者は、手錠５１による拘束から開放され、一致しない場合には、一致するまで鍵１２を持った参加者を探す。
【００３６】
以上のように、本実施形態のようにマトリクス型二次元コード５２０を用いることによって、手錠５１と鍵５２とを簡便に対応付けることができる。特に、カメラ付携帯電話機５３が近年普及しているので、このカメラ付携帯電話機５３を用いることによって、簡便かつ確実にパーティーを盛り上げることができる。
【００３７】
発明の実施の形態３．
発明の実施の形態２においてはマトリクス型二次元コード４２０を用いたが、ビジュアルコードを用いることもできる。発明の実施の形態３においては、ビジュアルコードを用いた場合について説明する。ここで、ビジュアルコードとは、最終の絵柄を所定の分割単位で分割したものである。例えば、ビジュアルコードは、ピクセル単位で二分割し、一組のビジュアルコードを形成することができる。これらの各ビジュアルコード自体では最終の絵柄を想定することができないが、これらを重ね合わせることによって特定の絵柄が構成される。
また、色彩を用いてビジュアルコードを構成することができる。例えば、各ビジュアルコード自体は異なる色を有するが、重ね合わせることによって特定の色が発色ようにすることもできる。なお、本明細書中においては、ビジュアルコードを構成する絵柄に図形のみならず、文字も含む。
【００３８】
図４の外観斜視図に、本実施形態におけるパーティー用玩具の一例が示されている。図４に示すように、本実施形態におけるパーティー用玩具６０は、手錠６１、鍵６２を備えている。
手錠６１は、上記の拘束部１１２，１１３と連結部６１１とを有する。連結部６１１は、連結部４１１と同様に、拘束部１１２，１１３を物理的に連結する部材である。この連結部６１１の上面には、所定の手錠側ビジュアルコード６１２が印刷されている。連結部６１１もまた、拘束部１１２，１１３に着脱可能であってもよい。
鍵６２は、略平板状の部材であり、透明性を有する材料を用いて構成される。鍵６２は、一例として、透明なプラスチックの平板とすることができる。この鍵６２の上面には、鍵側ビジュアルコード６２０が印刷されている。
【００３９】
本実施形態におけるパーティー用玩具６０は、手錠６１と鍵６２とのビジュアルコード６１２，６２０とを合わせることによって、所望の絵柄が構成される。これらビジュアルコード６１２，６２０を合わせて構成される絵柄６３が、図４に示されている。
このように、ビジュアルコード６１２，６２０を用いる場合には、パーティー用玩具６０にこれらを印刷するだけであるから、製造コストを低減することができる。また、ビジュアルコード６１２，６２０は、絵柄６３を所定の分割単位で分割するので、手錠６１、鍵６２の組み合わせを容易に増やすことができる。これによって、人数がより多いパーティーに対しても対応することが可能となる。
【００４０】
発明の実施の形態４．
発明の実施の形態４においては、無線ＩＤタグを用いた場合について説明する。
まず、図５を用いて、本実施形態におけるパーティー用玩具の全体構成について説明する。図５は、このパーティー用玩具の一例を示す外観図である。図５に示すように、本実施形態におけるパーティー用玩具７０は、鍵７１、手錠７２を備えている。
鍵７１は、略平板状の部材である。この鍵７１には、無線ＩＤタグ７１１が内蔵されている。無線ＩＤタグ７１１は、例えば、非接触型ＩＣタグとすることができる。この無線ＩＤタグ７１１に、所定の識別情報が格納され、この識別情報の一例として、所定の手錠７２のみに対応する情報とすることができる。
【００４１】
手錠７２は、上記の拘束部１１２，１１３と連結部７２１とを有する。連結部７２１は、連結部４１１，６１１と同様に、拘束部１１２，１１３を物理的に連結する部材である。また、連結部７２１は、拘束部１１２，１１３に着脱可能であってもよい。
連結部７２１は、リーダライタ装置７２２、表示装置７２３を有する。リーダライタ装置７２２は、電池等の携帯用の内部電源によって動作を行い、鍵７１の無線ＩＤタグ７１１と無線通信する。このリーダライタ装置７２２は、連結部７２１に内蔵されている。表示装置７２３は、液晶表示装置等から構成され、小型の表示装置である。この表示装置７２３は、連結部７２１の上面に取付けられている。
【００４２】
続いて、図６を用いて、本実施形態におけるパーティー用玩具７０の内部構成について説明する。図６は、このパーティー用玩具７０の内部構成を示すブロック図である。
図６に示すように、鍵７１の無線ＩＤタグ７１１は、送受信アンテナ７３１、電源生成部７３２、制御回路７３３、及びメモリ７３４を備えている。
電源生成部７３２は、送受信アンテナ７３１が受信した電磁波に基づいて電源を生成し、制御回路７３３やメモリ７３４に対して供給する。制御回路７３３は、ＩＣチップから構成され、電源生成部７３２から供給された電源によって、データの読込み、データの送受信等の各種動作を行う。メモリ７３４には、リーダライタ装置７２２との間で送受信されるデータが格納されている。
【００４３】
手錠７２のリーダライタ装置７２２は、制御回路７４１、インタフェース回路７４２、送受信回路７４３、送受信アンテナ７４４、電源部７４５を備えている。
制御回路７４１は、一例として、リーダライタ７２２の全体を制御するＭＰＵ（Micro Processing Unit）から構成することができる。
インタフェース回路７４２は、インタフェースとしてのリーダライタ用のＡＳＩＣ（Application Specific Integrated Circuit）とすることができる。このインタフェース回路７４２は、制御回路７４１と送受信回路７４３とに接続され、制御回路７４１と７４３との間でデータのやり取りを行う。
送受信回路７４３は、インタフェース回路７４２と送受信アンテナ７４４とに接続され、インタフェース回路７４２と送受信アンテナ７４４との間でデータのやり取りを行う。電源部７４５は、リーダライタ装置７２２内に内蔵された電池、電源回路等から構成され、電源を各回路７４１〜７４５に供給する。
また、リーダライタ装置７２２は、無線ＩＤタグ７１１のみならず、図示しないホストコンピュータと無線通信を行うようにしてもよい。
【００４４】
このような内部構成を有する鍵７１、手錠７２は、次のように動作を行う。
手錠７２のリーダライタ装置７２２は、電源部７４５が発生させる電源によって、制御回路７４１、インタフェース回路７４２、送受信回路７４３を動作させる。動作状態にある送受信回路７４３は、インタフェース回路７４２から出力されたデータに基づき変調データを生成し、送受信アンテナ７４４へ出力する。
手錠７２のリーダライタ装置７２２は、送受信アンテナ７４４に電圧を印加する。すると、送受信アンテナ７４４に電流が流れる。送受信アンテナ７４４に流れた電流は、送受信アンテナ７４４において電磁結合され、鍵７１の送受信アンテナ７３１に対して電波として出力される。電波が入力された送受信アンテナ７３１には、この電波に起因する誘導電流が流れる。
【００４５】
送受信アンテナ７３１に流れる誘導電流は、電源生成部７３２に入力される。この電源生成部７３２は、入力された電流から電力を生成し、制御回路７３３、メモリ７３４、送受信回路（図示せず）等に対して電力を供給する。これによって、制御回路７３３、メモリ７３４は、動作状態となる。動作状態となった図示しない送受信回路は、送受信アンテナ７３１が受信した電波を検波し、リーダライタ装置７２２から入力された信号を復元する。
この入力信号は、制御回路７３３を介してメモリ７３４へアクセスされ、メモリ７３４は格納情報を示すデータを出力する。この出力信号は、制御回路７３３を介して送受信回路（図示せず）に入力される。図示しない送受信回路は、その変調回路において、入力信号を送信データに応じて変化させ、送受信アンテナ７３１に対して出力する。
【００４６】
このように、鍵７１の無線ＩＤタグ７１１は、リーダライタ装置７２２と通信状態に移行し、データのやり取りが行われる。例えば、無線ＩＤタグ７１１のメモリ７３４から識別情報が読み出され、リーダライタ装置７２２に対して送信される。リーダライタ装置７２２は、送受信アンテナ７３１から送信された信号を、送受信アンテナ７４４において受信し、送受信回路７４３に入力する。送受信回路７４３は、送受信アンテナ７４４から出力されたデータに基づき復調データを生成し、インタフェース回路７４２へ出力する。インタフェース回路７４２は、このデータを制御回路７４１に入力する。制御回路７４１は、このデータに基づいて、鍵７１が手錠７２に対応するか否かを判定し、この判定結果を表示装置７２３に入力する。表示装置７２３は、入力された判定結果に基づいて、所定の画像データを生成して表示する。例えば、表示装置７２３は、判定結果が不一致の場合には"有罪"、一致する場合には"無罪放免"と表示する。
【００４７】
このように、無線ＩＤタグ７１１、リーダライタ装置７２２を用いることによって、鍵７１と手錠７２との対応を簡便かつ迅速に判定することができる。これによって、パーティーにスピード感を持たせることができるので、パーティーが間延びするのを防止することができ、パーティーを確実に盛り上げることができる。さらに、無線ＩＤタグ７１１には種々の情報を格納することができるので、参加者の個人情報や秘密情報を格納することによって、パーティーの盛り上げ方を変えることができる。
【００４８】
その他の発明の実施の形態．
発明の実施の形態４におけるパーティー用玩具７０にナビゲーション機能を搭載してもよい。この場合には、故意に撹乱信号を送信し、手錠７２を解錠することができる鍵７１の位置が判別されるのを遅らせることができる。これによって、より多くの参加者とコミュニケーションを交わすことができるようになり、パーティーをより一層盛り上げることが可能となる。
【図面の簡単な説明】
【００４９】
【図１】本発明に係るパーティー用玩具の全体構成の一例を示す外観図である。
【図２】本発明に係るパーティー用玩具の内部構成の一例を示す分解斜視図である。
【図３】本発明に係るパーティー用玩具の全体構成の他の一例を示す外観図である。
【図４】本発明に係るパーティー用玩具の全体構成の他の一例を示す外観図である。
【図５】本発明に係るパーティー用玩具の全体構成の他の一例を示す外観図である。
【図６】本発明に係るパーティー用玩具の内部構成の一例を示すブロック図である。
【符号の説明】
【００５０】
１…パーティー用玩具
１１…手錠ユニット、１１１…左手拘束部、１１２…右手拘束部、１１３…連結部
１２…鍵ユニット、１２１…本体部、１２２，１２３…突起、１２４…摘み板
３１…ベース板、３２，３３…フック板、３５…留板、３６１，３６２…取付ネジ、
３７１，３７２…バネ部材、３８…カバー、３９…錠板、
４１…ベース板、４２…鍵板、
５１…手錠、５２…鍵、５２０…マトリクス型二次元コード、
５３  カメラ付携帯電話機、５３１…絵柄
６０…パーティー用玩具、６１…手錠、６２…鍵、６２０…鍵側ビジュアルコード、
６３…絵柄
７０…パーティー用玩具、７１…鍵、７１１…ＩＤタグ、
７２…手錠、７２１…連結部、７２２…リーダライタ装置、７２３…表示装置
【図１】
2006055261.tif 000003
【図２】
2006055261.tif 000004
【図３】
2006055261.tif 000005
【図４】
2006055261.tif 000006
【図５】
2006055261.tif 000007
【図６】
2006055261.tif 000008